(57)【要約】【課題】  上部折板と下部折板との連結が外れないようにナットを締め付けることができるようにしながら、上部折板と下部折板との温度差に起因する連結部の破損を効果的に防止できるようにする。【解決手段】  上部折板Ａ固定してある上部金物１と、下部折板Ｂに固定してある下部金物２とに亘って挿通してあるボルト１５にナット１６を螺合して、上部折板と下部折板とを上下に間隔を隔てて連結し、上部金物又は下部金物のボルト挿通孔を折板折り曲げ部Ｄに沿って長い長孔１７に形成して、上部金物と下部金物とを折板折り曲げ部に沿う方向に相対移動可能に組み付けてある折板屋根構造であって、ボルトにナットを螺合して上部折板と下部折板とを連結した状態で、ボルト挿通孔を長孔に形成してある金物に締め付け力が作用しないように、ナットのボルトに対する締め込み深さを規制可能な規制部１８を設けてある。【選択図】        図１
2006336243.tif 000002
【特許請求の範囲】
【請求項１】
上部折板の下面側に固定してある上部金物と、下部折板の上面側に固定してある下部金物とに亘ってボルトを挿通するとともに、そのボルトにナットを螺合して、前記上部折板と前記下部折板とを上下に間隔を隔てて連結し、
前記上部金物又は前記下部金物のボルト挿通孔を折板折り曲げ部に沿って長い長孔に形成して、前記上部金物と前記下部金物とを前記折板折り曲げ部に沿う方向に相対移動可能に組み付けてある折板屋根構造であって、
前記ボルトに前記ナットを螺合して前記上部折板と前記下部折板とを連結した状態で、前記ボルト挿通孔を長孔に形成してある金物に締め付け力が作用しないように、前記ナットの前記ボルトに対する締め込み深さを規制可能な規制部を設けてある折板屋根構造。
【請求項２】
前記ナットの前記ボルトに対する螺合範囲をそのナットとの接当で規制可能な接当部を前記ボルトに一体に設けて、前記規制部を構成してある請求項１記載の折板屋根構造。
【請求項３】
前記ナットの前記ボルトに対する螺合範囲をそのナットとの接当で規制可能な筒体を前記ボルトに外嵌して、前記規制部を構成してある請求項１記載の折板屋根構造。
【発明の詳細な説明】
【技術分野】
【０００１】
本発明は、上部折板の下面側に固定してある上部金物と、下部折板の上面側に固定してある下部金物とに亘ってボルトを挿通するとともに、そのボルトにナットを螺合して、前記上部折板と前記下部折板とを上下に間隔を隔てて連結し、前記上部金物又は前記下部金物のボルト挿通孔を折板折り曲げ部に沿って長い長孔に形成して、前記上部金物と前記下部金物とを前記折板折り曲げ部に沿う方向に相対移動可能に組み付けてある折板屋根構造に関する。
【背景技術】
【０００２】
上記折板屋根構造は、断熱や防音のために上部折板と下部折板とを上下に間隔を隔てて連結するとともに、上部折板と下部折板との温度差に起因する相対変位を許容して、上部折板と下部折板との連結部の破損を防止できるように、上部金物又は下部金物のボルト挿通孔を折板折り曲げ部に沿って長い長孔に形成して、上部金物と下部金物とを折板折り曲げ部に沿う方向に相対移動可能に組み付けてあるが、従来、ボルトに螺合してあるナットが緩まないように、上部金物と下部金物とに締め付け力が作用するようにナットを締め付けて、上部折板と下部折板とを連結してある（例えば、特許文献１参照）。
【０００３】
【特許文献１】実公平６−４４９７２号公報
【発明の開示】
【発明が解決しようとする課題】
【０００４】
このため、上部折板と下部折板とが相対変位しようとする際には、締め付け力に応じた大きさの摩擦力が上部金物と下部金物との間に作用することになるので、その摩擦力が上部折板と下部折板との相対変位に対する抵抗となり、上部折板と下部折板との温度差に起因する連結部の破損を効果的に防止できない欠点がある。
本発明は上記実情に鑑みてなされたものであって、上部折板と下部折板との連結が外れないようにナットを締め付けることができるようにしながら、上部折板と下部折板との温度差に起因する連結部の破損を効果的に防止できるようにすることを目的とする。
【課題を解決するための手段】
【０００５】
本発明の第１特徴構成は、上部折板の下面側に固定してある上部金物と、下部折板の上面側に固定してある下部金物とに亘ってボルトを挿通するとともに、そのボルトにナットを螺合して、前記上部折板と前記下部折板とを上下に間隔を隔てて連結し、前記上部金物又は前記下部金物のボルト挿通孔を折板折り曲げ部に沿って長い長孔に形成して、前記上部金物と前記下部金物とを前記折板折り曲げ部に沿う方向に相対移動可能に組み付けてある折板屋根構造であって、前記ボルトに前記ナットを螺合して前記上部折板と前記下部折板とを連結した状態で、前記ボルト挿通孔を長孔に形成してある金物に締め付け力が作用しないように、前記ナットの前記ボルトに対する締め込み深さを規制可能な規制部を設けてある点にある。
【０００６】
〔作用及び効果〕
ボルトにナットを螺合して上部折板と下部折板とを連結した状態で、ボルト挿通孔を長孔に形成してある金物に締め付け力が作用しないように、ナットのボルトに対する締め込み深さを規制可能な規制部を設けてあるので、上部折板と下部折板とを連結した状態で、ボルトに螺合したナットを緩まないように強く締め付けてあっても、ボルト挿通孔を長孔に形成してある金物に締め付け力が作用しないように、ナットのボルトに対する締め込み深さを規制部で規制することができる。
従って、上部折板と下部折板との連結が外れないようにナットを締め付けることができるようにしながら、上部折板と下部折板とが相対変位しようとする際に、上部金物と下部金物との間に摩擦力が作用するおそれが少なく、上部折板と下部折板との相対変位に対する抵抗が少ないので、円滑に相対変位し、上部折板と下部折板との温度差に起因する連結部の破損を効果的に防止できる。
【０００７】
本発明の第２特徴構成は、前記ナットの前記ボルトに対する螺合範囲をそのナットとの接当で規制可能な接当部を前記ボルトに一体に設けて、前記規制部を構成してある点にある。
【０００８】
〔作用及び効果〕
ナットのボルトに対する螺合範囲をそのナットとの接当で規制可能な接当部をボルトに一体に設けて、規制部を構成してあるので、規制部を構成する部材をボルトなどに別途組み付けることなく、ナットのボルトに対する締め込み深さを規制することができ、ナットの締め付け力が上部金物と下部金物とに作用しないように、作業性良くナットをボルトに締め付けておくことができる。
【０００９】
本発明の第３特徴構成は、前記ナットの前記ボルトに対する螺合範囲をそのナットとの接当で規制可能な筒体を前記ボルトに外嵌して、前記規制部を構成してある点にある。
【００１０】
〔作用及び効果〕
ナットのボルトに対する螺合範囲をそのナットとの接当で規制可能な筒体をボルトに外嵌して、規制部を構成してあるので、規制部を一体に設ける加工を施してあるような特別なボルトを使用することなく、所定の螺合範囲に規制できる長さの筒体をボルトに外嵌して、ナットのボルトに対する締め込み深さを規制することができ、ナットの締め付け力が上部金物と下部金物とに作用しないように、安価に施工できる。
【発明を実施するための最良の形態】
【００１１】
以下に本発明の実施の形態を図面に基づいて説明する。
〔第１実施形態〕
図１，図２は本発明による折板屋根構造を示し、金属製の上部折板Ａと下部折板Ｂとを上下に間隔を隔てて連結して、上部折板Ａと下部折板Ｂとの間にグラスウールなどの断熱材Ｃを充填し、上部折板Ａの下面側に固定してある上部金物１と、下部折板Ｂの上面側に固定してある下部金物２とを折板Ａ，Ｂの折り曲げ部（折板折り曲げ部）Ｄに沿う方向に相対移動可能に組み付けてある。
【００１２】
前記上部折板Ａは、隣り合う上部折板Ａの端縁部どうしを重ね合わせるとともに、上部金物１に係止固定して、上部金物１と下部金物２とを介して、上下に間隔を隔てて下部折板Ｂに連結してある。
【００１３】
前記上部金物１は、角筒状の金属製筒部材３と、上部折板Ａの端部を内向きに凹入させてあるくびれ部分４を載置するサドル金具５と、くびれ部分４を外れ止め状態に係止固定する固定金具６とを備え、くびれ部分４をサドル金具５と固定金具６との間に挟み込んだ状態で、筒部材３とサドル金具５と固定金具６とを、スプリングワッシャ７を挟んで、ボルト・ナット８で締め付け固定して、上部折板Ａの下面側に固定してある。
【００１４】
また、筒部材３とサドル金具５との間に樹脂製断熱板９を挟むとともに、筒部材３とボルト頭１０との間に樹脂製断熱筒１１を挟み込んで、上部折板Ａと下部折板Ｂとに亘る熱伝導を防止してある。
【００１５】
前記下部折板Ｂは、隣り合う下部折板Ｂの端縁部どうしを重ね合わせて、その重なり部分を、躯体側に固定してあるタイトフレーム１２と下部金物２との間に挟み込むとともに、下部金物２と下部折板Ｂの重なり部分とに亘って貫通させたビス１３をタイトフレーム１２に締め付けて、下部金物２を下部折板Ｂの上面側に固定した状態で、タイトフレーム１２に一体に固定してあり、下部金物２は、横断面形状が上向きコの字状の金属製溝形部材１４で構成してある。
【００１６】
前記上部金物１と下部金物２は、溝形部材１４の内側に筒部材３を略平行に入り込ませた状態で、溝形部材１４と筒部材３とに亘って、折り曲げ部Ｄに沿った前後二箇所に頭付きボルト１５を略水平に挿通し、それらのボルト１５に螺合したナット１６の夫々を締め付けて、上部折板Ａと下部折板Ｂとを連結するとともに、筒部材３の各ボルト挿通孔を折り曲げ部Ｄに沿って長い長孔１７に形成して、折り曲げ部Ｄに沿う方向に相対移動可能に組み付けてある。
【００１７】
そして、ボルト１５に螺合したナット１６を締め付けて上部折板Ａと下部折板Ｂとを連結した状態で、ナット１６の締め付け力が筒部材３に作用しないように、溝形部材１４の溝幅Ｅ１を筒部材３の横幅Ｅ２よりも幅広に設定して、上部金物１と下部金物２とを折り曲げ部Ｄに直交する方向にも相対移動可能に組み付けるとともに、溝形部材１４にも締め付け力が作用しないように、ナット１６のボルト１５に対する締め込み深さを規制可能な規制部１８をボルト１５に設けて、ボルト１５を溝形部材１４及び筒部材３に対してボルト軸方向に相対移動可能に挿通してある。
【００１８】
前記規制部１８は、ボルト１５の有効ねじ部の長さを、ナット１６が緩まないように強く締め付けた状態で、ナット１６とボルト頭１９との対向間隔Ｆが、溝形部材１４のボルト長手方向に沿う幅Ｌよりも若干長くなる長さに設定して構成してある。
【００１９】
〔第２実施形態〕
図３は本発明による折板屋根構造の別実施形態を示し、ナット１６が緩まないように強く締め付けた状態で、ナット１６とボルト頭１９との対向間隔Ｆが、溝形部材１４のボルト長手方向に沿う幅Ｌよりも若干長くなるように、ナット１６のボルト１５に対する螺合範囲をそのナット１６との接当で規制可能な接当部２０をボルト１５に一体に設けて、筒部材３にも溝形部材１４にもナット１６の締め付け力が作用しないように、ナット１６のボルト１５に対する締め込み深さを規制可能な規制部１８を構成してある。
その他の構成は第１実施形態と同様である。
【００２０】
〔第３実施形態〕
図４は本発明による折板屋根構造の別実施形態を示し、ナット１６が緩まないように強く締め付けた状態で、ナット１６とボルト頭１９との対向間隔Ｆが、溝形部材１４のボルト長手方向に沿う幅Ｌよりも若干長くなるように、ナット１６のボルト１５に対する螺合範囲をそのナット１６との接当で規制可能な金属製筒体２１をボルト１５に外嵌して、筒部材３にも溝形部材１４にもナット１６の締め付け力が作用しないように、ナット１６のボルト１５に対する締め込み深さを規制可能な規制部１８を構成してある。
その他の構成は第１実施形態と同様である。
【００２１】
〔第４実施形態〕
図５は本発明による折板屋根構造の別実施形態を示し、ボルト１５に螺合したナット１６を溝形部材１４に締め付け力が作用するように締め付けて、筒部材３に締め付け力が作用しないように、ナット１６のボルト１５に対する締め込み深さを規制可能な規制部１８を溝形部材１４で構成してある。
その他の構成は第１実施形態と同様である。
【００２２】
〔第５実施形態〕
図６，図７は本発明による折板屋根構造の別実施形態を示し、溝形部材１４のボルト挿通孔を折り曲げ部Ｄに沿って長い長孔１７に形成して、上部金物１と下部金物２とを折り曲げ部Ｄに沿う方向に相対移動可能に組み付けてある。
【００２３】
そして、筒部材３のボルト挿通孔周りに環状鍔２２を長孔１７から外方に突出するように設けて、ボルト１５に螺合したナット１６が緩まないように環状鍔２２を介して筒部材３に強く締め付けた状態で、ボルト挿通孔を長孔１７に形成してある溝形部材１４に締め付け力が作用しないように、ナット１６とボルト頭１９との対向間隔Ｆが、溝形部材１４のボルト長手方向に沿う幅Ｌよりも若干長くなる長さに設定して、ナット１６のボルト１５に対する締め込み深さを規制可能な規制部１８を環状鍔２２で構成してある。
その他の構成は第１実施形態と同様である。
【００２４】
〔その他の実施形態〕
１．本発明による折板屋根構造は、両端部に雄ねじ部を形成してある頭無しボルトを上部金物と下部金物とに亘って挿通するとともに、そのボルトの両端部にナットを螺合して、上部折板と下部折板とを上下に間隔を隔てて連結してあっても良い。
２．本発明による折板屋根構造は、上部金物と下部金物とに亘ってボルトを上下方向に挿通するとともに、そのボルトにナットを螺合して、上部折板と下部折板とを上下に間隔を隔てて連結してあっても良い。
【図面の簡単な説明】
【００２５】
【図１】折板屋根構造の縦断面図
【図２】要部の側面図
【図３】第２実施形態を示す縦断面図
【図４】第３実施形態を示す縦断面図
【図５】第４実施形態を示す縦断面図
【図６】第５実施形態を示す縦断面図
【図７】要部の側面図
【符号の説明】
【００２６】
１    上部金物
２    下部金物
１５  ボルト
１６  ナット
１７  長孔
１８  規制部
２０  接当部
２１  筒体
Ａ    上部折板
Ｂ    下部折板
Ｄ    折板折り曲げ部
【図１】
2006336243.tif 000003
【図２】
2006336243.tif 000004
【図３】
2006336243.tif 000005
【図４】
2006336243.tif 000006
【図５】
2006336243.tif 000007
【図６】
2006336243.tif 000008
【図７】
2006336243.tif 000009